(57)【要約】【課題】紙管等に巻かれたプラスチックフィルム等のロール状物を運搬するための組立，分解が可能なロール状物運搬用ホルダであって、少ない部品で構成され、容易に組立，分解ができるとともに、省スペースで使用でき、輸送コスト，保管スペース等を節減できるようにする。【解決手段】長辺を縦として起立状に配置される長方形状の合成樹脂製の軸受パネル１，２と、向かい合わせに配置した一対の前記軸受パネルどうしを連結する４本の直線状の連結杆３〜６とからなり、軸受パネルの上面中心から下方に向けて切込８を形成してロール１０の軸１１を該軸受パネルの高さ中心よりも少し上部にて支持し得るようにするＵ字状の軸受面９を形成するとともに、該軸受面の曲率中心ａから略々等距離の該軸受パネルの上部両隅および下部寄り両隅に前記連結杆の両端部を嵌合し得る嵌合部１２〜１５を形成してなる。【選択図】図６
2005324823.tif 000002
【特許請求の範囲】
【請求項１】
長辺を縦として起立状に配置される長方形状の合成樹脂製の軸受パネルと、向かい合わせに配置した一対の前記軸受パネルどうしを連結する４本の直線状の連結杆とからなり、該軸受パネルの上面中心から下方に向けて切込を形成してロールの軸を該軸受パネルの高さ中心よりも少し上部にて支持し得るようにするＵ字状の軸受面を形成するとともに、該軸受面の曲率中心から略々等距離の該軸受パネルの上部両隅および下部寄り両隅に前記連結杆の両端部を嵌合し得る嵌合部を形成してなることを特徴とするロール状物運搬用ホルダ。
【請求項２】
連結杆は角パイプからなるものであり、嵌合部は該角パイプが嵌合する角孔状に形成したものである請求項１に記載のロール状物運搬用ホルダ。
【請求項３】
連結杆は角パイプからなるものであり、該連結杆の両端部側面に係合用切欠を形成するとともに、軸受パネルの上部両隅に軸受パネルの上面から下方に向けて切込を形成することにより嵌合部を角孔状に形成し、該嵌合部の内側面に前記係合用切欠が係合する係合片を突設した請求項１または２に記載のロール状物運搬用ホルダ。
【請求項４】
軸受面にロールの軸の外方への移動を防ぐ突提を形成した請求項１〜３のいずれかに記載のロール状物運搬用ホルダ。
【請求項５】
軸受パネルの上面と下面に互いに嵌合し得る突起と凹所を形成した請求項１〜４のいずれかに記載のロール状物運搬用ホルダ。
【請求項６】
軸受パネルの正面と背面に互いに嵌合し得る突起と凹所を形成した請求項１〜５のいずれかに記載のロール状物運搬用ホルダ。
【請求項７】
Ｕ字形のアダプターが取り付けられる取付孔を軸受面に形成した請求項１〜６のいずれかに記載のロール状物運搬用ホルダ。
【請求項８】
軸受パネルの両側面に結束バンドを係止させる凹溝を形成した請求項１〜７のいずれかに記載のロール状物運搬用ホルダ。
【発明の詳細な説明】
【技術分野】
【０００１】
本発明は、紙管等に巻かれたプラスチックフィルム等のロール状物を運搬するための組立，分解が可能なロール状物運搬用ホルダに関するものである。
【背景技術】
【０００２】
下記特許文献１に示されたロール搬送用ボックスパレットは、パレット上に一対の軸受パネルを互いに対向させて平行に立てるとともに、該軸受パネルの両側面にＸ字状のブレースの両端の鉤状折曲部を差し込むことにより該軸受パネルどうしを連結し、該軸受パネル間にロール状物が支持されるように構成したものである。
【特許文献１】特公平１−２６９４２号公報
【発明の開示】
【発明が解決しようとする課題】
【０００３】
ところで従来の上記ロール搬送用具は、台座としてのパレットを必要とするものであったので、繰り返し使用する際の返送時の輸送コストがかかり、保管スペースも大きくなるという問題がある。また、軸受パネルの両側面に差し込まれたＸ字状のブレースが横に出っ張って横幅を増大させるので、パレットからはみ出したり、パレット上のスペースを無駄にするという問題があった。
本発明はこのような問題点を解消し得るロール状物運搬用ホルダを提供しようとするものである。
【課題を解決するための手段】
【０００４】
そのために請求項１に記載のロール状物運搬用ホルダは、長辺を縦として起立状に配置される長方形状の合成樹脂製の軸受パネルと、向かい合わせに配置した一対の前記軸受パネルどうしを連結する４本の直線状の連結杆とからなり、軸受パネルの上面中心から下方に向けて切込を形成してロールの軸を該軸受パネルの高さ中心よりも少し上部にて支持し得るようにするＵ字状の軸受面を形成するとともに、該軸受面の曲率中心から略々等距離の該軸受パネルの上部両隅および下部寄り両隅に前記連結杆の両端部を嵌合し得る嵌合部を形成してなることを特徴とする。
このため、４本の連結杆がロール周囲のデッドスペースであるロールの斜め上両側および斜め下両側に位置し、両横や上下に出っ張ることなくロールを該各連結杆によって包囲することができ、省容積，省スペース化ができて運搬，保管が容易になる。
【０００５】
また、請求項２に記載の発明は、上記ロール状物運搬用ホルダにおいて、連結杆は角パイプからなるものであり、嵌合部は該角パイプが嵌合する角孔状に形成したことを特徴とする。
このため組み立て状態を堅固なものとすることができる。
【０００６】
また、請求項３に記載の発明は、上記ロール状物運搬用ホルダにおいて、連結杆は角パイプからなるものであり、該連結杆の両端部側面に係合用切欠を形成するとともに、軸受パネルの上部両隅に軸受パネルの上面から下方に向けて切込を形成することにより嵌合部を角孔状に形成し、該嵌合部の内側面に前記係合用切欠が係合する係合片を突設したことを特徴とする。
このため両軸受パネルを離間のおそれなく連結することができる。
【０００７】
また、請求項４に記載の発明は、上記ロール状物運搬用ホルダにおいて、軸受面にロールの軸の外方への移動を防ぐ突提を形成したことを特徴とする。
ロールの軸が軸受パネルの外方へ滑り出すことなく事故が防がれる。
【０００８】
また、請求項５に記載の発明は、上記ロール状物運搬用ホルダにおいて、軸受パネルの上面と下面に互いに嵌合し得る突起と凹所を形成したことを特徴とする。
ロール状物運搬時、或はロール状物保管時における多段の安定的積み上げを可能にする。
【０００９】
また、請求項６に記載の発明は、上記ロール状物運搬用ホルダにおいて、軸受パネルの正面と背面に互いに嵌合し得る突起と凹所を形成したことを特徴とする。
軸受パネルの返送時，保管時等における多段の安定的積み上げを可能にする。
【００１０】
また、請求項７に記載の発明は、上記ロール状物運搬用ホルダにおいて、Ｕ字形のアダプターが取り付けられる取付孔を軸受面に形成したことを特徴とする。
Ｕ字形のアダプターを取り付けることによって、ロールの軸の外径に合わせた設定に簡単に変更できる。
【００１１】
また、請求項８に記載の発明は、上記ロール状物運搬用ホルダにおいて、軸受パネルの両側面に結束バンドを係止させる凹溝を形成したことを特徴とする。
結束バンドを使用した場合にその垂れ下がりを防ぎ、止着を確実にする。
【発明の効果】
【００１２】
パレットを必要とせず、少ない部品で構成され、組立，分解が容易にできるとともに、省スペースで使用でき、輸送コスト，保管スペース等を節減できる。
【実施例１】
【００１３】
次に本発明の実施例を図面に従い説明する。図１はこのロール状物運搬用ホルダの分解状態の斜視図である。同図中、１，２は合成樹脂製の一対の同形の軸受パネル、３〜６は該軸受パネルを連結するために使用される合計４本の直線状の角パイプからなる連結杆である。また、図２は該軸受パネルの正面図、図３は正面側斜視図、図４は背面側斜視図である。このように該軸受パネル１，２は、長方形状でその長辺を縦として起立状に配置され、その背面には補強のために升目状に多数のリブ７が形成されている。そして該軸受パネルの上面中心から下方に向けて切込８を形成しＵ字状の軸受面９を形成している。なお、該軸受面９は図２に示したように該軸受パネルの高さ中心よりも少し上部に該軸受面の曲率中心ａが位置するように形成される。そして、同図に仮想線で示したように紙管等からなるロール１０の軸１１を該軸受パネルの高さ中心よりも少し上部にて支持し得るようにする。なお、切込８の開口縁８ａ，８ｂはテーパ状に切り欠かれ該切込８内に軸１１を誘導し易いようにしている。また、１８は軸受面９上における軸受パネル１，２の背面側縁に軸１１の外方への移動を防ぐために突設された突提である。
【００１４】
また、１２，１３は連結杆３，４の両端部を係合するために軸受パネルの上部両隅に角孔状に形成された嵌合部、１４，１５は連結杆５，６の両端部を係合するために軸受パネルの下部寄り両隅に角孔状に形成された嵌合部で、これらの嵌合部１２〜１５は、上記軸受面９の曲率中心ａから略々等距離に形成される。なお、嵌合部１２，１３は軸受パネル１，２の上面から下方に向けて切込を形成することにより角孔状に形成されたものであり、連結杆３，４の両端部側面には係合用切欠１６が形成され、該嵌合部１２，１３の内側面には該係合用切欠１６が係合する係合片１７が突設される。また、嵌合部１４，１５は軸受パネル１，２の正面から有底角孔状に形成されたものである。
【００１５】
２０ａ，２０ｂ，２１ａ，２１ｂは軸受パネル１，２の上面に形成された突起、２２，２３は該突起が嵌合し得るように軸受パネル１，２の下面に形成された凹所である。また、２４〜２７は軸受パネルの正面に形成された突起、２８〜３１は該突起が嵌合し得るように軸受パネル１，２の背面リブ間に形成された凹所である。また、３２〜３４は結束バンドを係止させるために軸受パネル１，２の両側面に形成された凹溝である。
【００１６】
また、図５は、Ｕ字形のアダプターを示し、該アダプター３５の両端部および下部の外方に向かって突設された突片３６〜３８を軸受パネル１，２の軸受面９に開設されたスリット状の係合孔３９〜４１に差し込むことにより該アダプター３５を軸受面９の内周に装着できるようにしている。
【００１７】
しかして軸受パネル１，２および連結杆３〜６を使用するに際しては、先ず、連結杆５，６の両端部を向かい合わせに配置した一対の軸受パネル１，２の嵌合部１４，１５に差し込み、該軸受パネル１，２の上方からロール１０の軸１１を切込８に挿入して軸受面９上に該軸１１を支持する。そして、連結杆３，４の両端部を嵌合部１２，１３に係合用切欠１６を用いて係合させる。このように連結杆３，４を係合することにより該軸受パネル１，２は離間することなく、図６，７に示したように、ロール１０は軸受パネル１，２および連結杆３〜６により包囲された状態に安定的に維持される。また、下方の連結杆５，６の下側にフォーク差込用空間Ｇが形成されることから、従来のようにパレットを必要とせず、フォークリフトによる移送が可能となる。また、前記突提１８は軸１１の先端が無用に外方に突出するのを防ぐので、フォークリフト等による移送時に起こり得る事故が防止される。
【００１８】
また、軸受パネル１，２の上面と下面に形成された突起２０ａ，２０ｂ，２１ａ，２１ｂ、凹所２２，２３を合致させることにより、図８に示したように、倒壊のおそれなく安定的に段積みすることができる。また、ＰＰバンド等の結束バンド（図示せず）を周囲に巻回し、凹溝３２〜３４に該結束バンドを係止させることにより、該結束バンドがズレ止めされ、さらに確実な梱包状態とすることができる。このように、ロール１０は相対する軸受パネル１，２間に支持され外方に飛び出さないことから、該軸受パネル１，２によってロール１０が保護され、隙間なく横並び、および段積みができるとともに、輸送中にロール１０が疵付くようなおそれがない。
【００１９】
また、目的地まで運搬できたところで、連結杆３，４を上方に持ち上げ除去すれば、ロール１０をクレーン等により上方に吊り上げられる。そして、軸受パネル１，２から連結杆５，６を簡単に抜き外すことができるので、軸受パネル１，２を水平にして多段に積むことで、返送時の容積が大幅に縮小される。なお、前記突起２４〜２７と凹所２８〜３１を嵌合させることで軸受パネル１，２を多段に積んでも安定する。
【００２０】
なお、この実施例では連結杆５，６を両端部を角孔状に形成された嵌合部１２，１３に差し込むだけとしたが、連結杆３，４および嵌合部１２，１３と同様に、係合用切欠と係合片を形成し係合させるようにしてもよい。また、角パイプからなる連結杆を角孔状の嵌合部の嵌合させるようにしたことで、丸パイプからなる連結杆を使用するよりも組立状態が堅固なものとなる。
【００２１】
また、軸受面９に形成された取付孔３９〜４１にＵ字形のアダプター３５を取り付けることによって、紙管等の軸１１の外径に合う仕様に簡単に変更できる。また、連結杆３，４の長さを変えるだけで、種々の長さの異なるロール状物を運搬する際にも簡単に対処できる。
【図面の簡単な説明】
【００２２】
【図１】本発明の実施例であるロール状物運搬用ホルダの分解斜視図。
【図２】図１のロール状物運搬用ホルダの軸受パネルの正面図。
【図３】図１のロール状物運搬用ホルダの軸受パネルの正面側斜視図。
【図４】図１のロール状物運搬用ホルダの軸受パネルの背面側斜視図。
【図５】本発明の実施例であるロール状物運搬用ホルダのアダプターの斜視図。
【図６】本発明の実施例であるロール状物運搬用ホルダの使用状態を示す斜視図。
【図７】図６のＡ−Ａ線断面図。
【図８】本発明の実施例であるロール状物運搬用ホルダの使用状態を示す斜視図。
【符号の説明】
【００２３】
ａ                                曲率中心
Ｇ                                フォーク差込用空間
１，２                            軸受パネル
３〜６                            連結杆
８                                切込
９                                軸受面
１０                              ロール
１１                              軸
１２〜１５                        嵌合部
１６                              係合用切欠
１７                              係合片
１８                              突提
２０ａ，２０ｂ，２１ａ，２１ｂ    突起
２２，２３                        凹所
２４〜２７                        突起
２８〜３１                        凹所
３２〜３４                        凹溝
３５                              アダプター
３６〜３８                        突片
３９〜４１                        係合孔
【図１】
2005324823.tif 000003
【図２】
2005324823.tif 000004
【図３】
2005324823.tif 000005
【図４】
2005324823.tif 000006
【図５】
2005324823.tif 000007
【図６】
2005324823.tif 000008
【図７】
2005324823.tif 000009
【図８】
2005324823.tif 000010